(57)【要約】【課題】コストや重要度に柔軟に応じた文書作成を可能にする。【解決手段】本発明に係る印字装置（プリンタ）は、用紙の総数を特定し（Ｓ３）、用紙のうち被検出体を含む特殊紙の使用枚数を特定する（Ｓ４）。その後、印字装置は、文書データが表すページのうち特殊紙を使用するページがいずれであるかを特定し（Ｓ５）、それぞれのページに応じた用紙の供給及び印字を指示する（Ｓ６、Ｓ７）。特殊紙の使用枚数は、ステップＳ１において取得したポリシー情報に基づいて特定される。【選択図】図４
2008305247.tif 000002
【特許請求の範囲】
【請求項１】
複数ページの文書を表す文書データを取得する取得手段と、
被検出体を含む第１のシートと前記被検出体を含まない第２のシートのいずれかを供給する供給手段と、
前記文書の各ページについて、前記第１又は第２のシートのいずれかを選択する選択手段と、
前記選択手段により選択されたシートを前記供給手段により順次供給され、前記取得手段により取得された文書データが表す文書を当該シートに順次印字する印字手段と
を有する印字装置と、
前記印字装置により文書が印字されたシートに含まれる被検出体を検出する検出手段と、
前記検出手段により被検出体が検出された場合に報知を行う報知手段と
を有する検出装置と
を備えることを特徴とする検出システム。
【請求項２】
複数ページの文書を表す文書データを取得する取得手段と、
被検出体を含む第１のシートと前記被検出体を含まない第２のシートのいずれかを供給する供給手段と、
前記文書の各ページについて、前記第１又は第２のシートのいずれかを選択する選択手段と、
前記選択手段により選択されたシートを前記供給手段により順次供給され、前記取得手段により取得された文書データが表す文書を当該シートに順次印字する印字手段と
を備えることを特徴とする印字装置。
【請求項３】
文書のセキュリティレベルに関するポリシー情報を取得するポリシー取得手段を備え、
前記選択手段は、
前記ポリシー取得手段により取得されたポリシー情報に基づいて前記第１又は第２のシートを選択する
ことを特徴とする請求項２に記載の印字装置。
【請求項４】
前記文書データは、前記ポリシー情報を含み、
前記ポリシー取得手段は、
前記取得手段により取得された文書データから前記ポリシー情報を取得する
ことを特徴とする請求項３に記載の印字装置。
【請求項５】
前記ポリシー情報は、前記第１のシートと前記第２のシートの比率を表す情報を含み、
前記選択手段は、
前記比率に応じ、かつ、ランダムな順番で前記第１又は第２のシートを順次選択する
ことを特徴とする請求項３に記載の印字装置。
【請求項６】
前記文書データが表す文書の各ページの印字率を算出する算出手段を備え、
前記選択手段は、
前記算出手段により算出された印字率が高いページについて優先的に前記第１のシートを選択する
ことを特徴とする請求項２に記載の印字装置。
【請求項７】
前記印字手段により文書が印字された複数のシートの並びを変更するソート手段を備え、
前記印字手段は、
前記第１及び第２のシートのいずれか一方が選択されたページの文書を印字してから、前記第１及び第２のシートの他方が選択されたページの文書を印字し、
前記ソート手段は、
前記印字手段により文書が印字された複数のシートの並びを前記文書データが表す順序に並び替える
ことを特徴とする請求項２に記載の印字装置。
【請求項８】
前記印字手段は、
前記第２のシートに文書を印字する場合に、前記被検出体を模したダミー画像を当該シートに印字する
ことを特徴とする請求項２に記載の印字装置。
【請求項９】
コンピュータに、
複数ページの文書を表す文書データを取得する機能と、
被検出体を含む第１のシートと前記被検出体を含まない第２のシートのいずれかの供給を指示する機能と、
前記文書の各ページについて、前記第１又は第２のシートのいずれかを選択する機能と、
前記選択された前記第１又は第２のシートを前記指示により供給させ、当該シートに前記取得された文書データが表す文書を順次印字させる機能と
を実現させるためのプログラム。
【請求項１０】
複数ページの文書を表す文書データを取得し、
前記文書の各ページについて、被検出体を含む第１のシートと前記被検出体を含まない第２のシートのいずれかをそれぞれ選択し、
前記選択された前記第１又は第２のシートに、対応するページの文書を順次印字する
ことを特徴とする文書作成方法。
【発明の詳細な説明】
【技術分野】
【０００１】
本発明は、印字された文書のセキュリティを確保する技術に関する。
【背景技術】
【０００２】
機密性を有する文書には、これをみだりに持ち出されては不都合を生じる場合がある。文書の不正な持ち出しを防止するための技術としては、例えば、特許文献１に記載された技術が知られている。特許文献１には、金属等の異物を含んだ特殊な用紙を用いる画像形成装置が記載されている。
【特許文献１】特開２００５−８４１８４号公報
【発明の開示】
【発明が解決しようとする課題】
【０００３】
しかし、上述のような特殊な用紙は、一般的に割高である。そのため、利用者においては、割高なコストの負担を強いられたり、あるいは、特殊な用紙を用いずに普通の用紙で代用してしまうなどの問題が生じている。
また、種々の文書をプリントする環境においては、重要度が文書毎に異なる場合があるが、重要度の違いに柔軟に対応することは、従来の技術では困難であった。
【０００４】
本発明は、かかる事情にかんがみてなされたものであり、その目的は、コストや重要度に柔軟に応じた文書作成を可能にする技術を提供することにある。
【課題を解決するための手段】
【０００５】
本発明に係る第１の構成である検出システムは、複数ページの文書を表す文書データを取得する取得手段と、被検出体を含む第１のシートと前記被検出体を含まない第２のシートのいずれかを供給する供給手段と、前記文書の各ページについて、前記第１又は第２のシートのいずれかを選択する選択手段と、前記選択手段により選択されたシートを前記供給手段により順次供給され、前記取得手段により取得された文書データが表す文書を当該シートに順次印字する印字手段とを有する印字装置と、前記印字装置により文書が印字されたシートに含まれる被検出体を検出する検出手段と、前記検出手段により被検出体が検出された場合に報知を行う報知手段とを有する検出装置とを備えることを特徴とする。この場合において「文書データ」とは、文字のみならず、画像も含む概念である。
【０００６】
本発明に係る第２の構成である印字装置は、複数ページの文書を表す文書データを取得する取得手段と、被検出体を含む第１のシートと前記被検出体を含まない第２のシートのいずれかを供給する供給手段と、前記文書の各ページについて、前記第１又は第２のシートのいずれかを選択する選択手段と、前記選択手段により選択されたシートを前記供給手段により順次供給され、前記取得手段により取得された文書データが表す文書を当該シートに順次印字する印字手段とを備えることを特徴とする。
【０００７】
本発明に係る印字装置は、第３の構成として、前記第２の構成に加え、文書のセキュリティレベルに関するポリシー情報を取得するポリシー取得手段を備え、前記選択手段が、前記ポリシー取得手段により取得されたポリシー情報に基づいて前記第１又は第２のシートを選択する構成を採用してもよい。
【０００８】
また、本発明に係る印字装置は、第４の構成として、前記第３の構成に加え、前記文書データが、前記ポリシー情報を含み、前記ポリシー取得手段が、前記取得手段により取得された文書データから前記ポリシー情報を取得する構成を採用してもよい。
また、本発明に係る印字装置は、第５の構成として、前記第３の構成に加え、前記ポリシー情報が、前記第１のシートと前記第２のシートの比率を表す情報を含み、前記選択手段が、前記比率に応じ、かつ、ランダムな順番で前記第１又は第２のシートを順次選択する構成を採用してもよい。
【０００９】
本発明に係る印字装置は、第６の構成として、前記第２の構成に加え、前記文書データが表す文書の各ページの印字率を算出する算出手段を備え、前記選択手段が、前記算出手段により算出された印字率が高いページについて優先的に前記第１のシートを選択する構成を採用してもよい。
【００１０】
本発明に係る印字装置は、第７の構成として、前記印字手段により文書が印字された複数のシートの並びを変更するソート手段を備え、前記印字手段は、前記第１及び第２のシートのいずれか一方が選択されたページの文書を印字してから、前記第１及び第２のシートの他方が選択されたページの文書を印字し、前記ソート手段は、前記印字手段により文書が印字された複数のシートの並びを前記文書データが表す順序に並び替える構成を採用してもよい。
【００１１】
本発明に係る印字装置は、第８の構成として、前記印字手段が、前記第２のシートに文書を印字する場合に、前記被検出体を模したダミー画像を当該シートに印字する構成を採用してもよい。
【００１２】
本発明に係る第９の構成であるプログラムは、コンピュータに、複数ページの文書を表す文書データを取得する機能と、被検出体を含む第１のシートと前記被検出体を含まない第２のシートのいずれかの供給を指示する機能と、前記文書の各ページについて、前記第１又は第２のシートのいずれかを選択する機能と、前記選択された前記第１又は第２のシートを前記指示により供給させ、当該シートに前記取得された文書データが表す文書を順次印字させる機能とを実現させることを特徴とする。
【００１３】
本発明に係る第１０の構成である文書作成方法は、複数ページの文書を表す文書データを取得し、前記文書の各ページについて、被検出体を含む第１のシートと前記被検出体を含まない第２のシートのいずれかをそれぞれ選択し、前記選択された前記第１又は第２のシートに、対応するページの文書を順次印字することを特徴とする。
【発明の効果】
【００１４】
本発明の第１、第２、第９及び第１０の構成によれば、第１又は第２のシートを適宜に選択して複数ページの文書を印字することが可能となる。
本発明の第３の構成によれば、ポリシー情報に応じたセキュリティレベルで印字することが可能となり、また、異なるポリシー情報を取得することによりセキュリティレベルを異ならせることが可能となる。
本発明の第４の構成によれば、取得した文書データに応じたセキュリティレベルで印字することが可能となる。
本発明の第５の構成によれば、この構成を有さない場合に比べ、第１のシートが用いられているページを判別しにくくすることが可能となる。
本発明の第６の構成によれば、この構成を有さない場合に比べ、相対的に重要な情報が含まれている可能性が高いページに第１のシートを用いることが可能となる。
本発明の第７の構成によれば、この構成を有さない場合に比べ、供給するシートの種類の切り替えを少なくすることが可能となる。
本発明の第８の構成によれば、この構成を有さない場合に比べ、第１のシートが用いられているページを判別しにくくすることが可能となる。
【発明を実施するための最良の形態】
【００１５】
［実施形態の構成］
図１は、本発明の一実施形態である情報管理システム１００の構成を示す図である。この情報管理システム１００は、例えば、オフィス等の文書を出力（作成）する環境において構築されるシステムである。同図に示すように、情報管理システム１００は、複数のプリンタ１０と、複数のゲート装置２０と、ネットワーク３０と、管理者端末４０とを備える。
【００１６】
また、情報管理システム１００が構築される環境には、セキュリティレベルが異なる複数のエリアが含まれる。本実施形態においては、セキュリティレベルが比較的高い「エリアＡ」と、セキュリティレベルが比較的低い「エリアＢ」とがあるものとする。エリアＡにおいては、比較的重要度が高い文書が出力され、エリアＢにおいては、比較的重要度が低い文書が出力される。なお、図１には特に図示されていないが、各エリアには利用者が操作するパーソナルコンピュータ等の利用者端末があり、利用者はこの利用者端末を用いてプリンタ１０に文書の出力を指示する。
なお、エリアの数は任意であり、また、エリアのセキュリティレベルは、３段階以上であってもよい。
【００１７】
プリンタ１０は、利用者からの指示に応じて、用紙に文字や画像を記録（すなわち印字）する装置である。プリンタ１０の記録方式は、特に限定されないが、例えば、電子写真方式やインクジェット方式などである。なお、プリンタ１０は、各エリアに少なくとも１台ずつ備えられている。なお、あるエリアにプリンタ１０が複数備えられている場合、セキュリティレベルはそれぞれ異なっていてもよい。ここでは、説明の便宜上、各エリアに１台のプリンタ１０が備えられている場合を説明する。
【００１８】
プリンタ１０において使用される用紙には、「特殊紙」と「普通紙」の２種類がある。本実施形態において、特殊紙とは、被検出体を含む用紙のことであり、普通紙とは、この被検出体を含まない用紙のことである。ここにおいて、被検出体とは、ゲート装置２０が検出可能な物体をいう。被検出体としては、例えば、大バルクハウゼン効果や磁歪振動を生じるワイヤ又は箔体、ＲＦＩＤ（Radio Frequency IDentification）タグなどを採用することができる。なお、被検出体は、外観上目立ちにくくするために、用紙中に漉き込まれるようにして含有されていると望ましい。
【００１９】
図２は、プリンタ１０の構成を示すブロック図である。同図に示すように、プリンタ１０は、制御部１１と、通信部１２と、用紙供給部１３と、印字部１４と、後処理部１５とを備える。制御部１１は、ＣＰＵ（Central Processing Unit）やメモリを備え、プリンタ１０の各部の動作を制御する。通信部１２は、ネットワーク３０や利用者端末と通信を行うためのインタフェースであり、後述する文書データやポリシー情報を受信して制御部１１に供給する。用紙供給部１３は、第１トレイ１３１と第２トレイ１３２とを備え、これらのトレイに収容された用紙を制御部１１からの指示に応じて供給する。なお、第１トレイ１３１には特殊紙が収容され、第２トレイ１３２には普通紙が収容される。
【００２０】
印字部１４は、制御部１１を介して取得した文書データが表す文書を用紙供給部１３から供給された用紙に印字し、後処理部１５に供給する。ここにおいて、文書データとは、文字や画像を含む文書を表すデータであり、当該データは用紙の複数ページ分に相当するものである。後処理部１５は、文字や画像が印字された複数ページ分の文書に相当する用紙を１つの冊子となるように綴じる処理（以下「後処理」という。）を行う。後処理部１５は、ステープルにより用紙を綴じるものであってもよいし、接着剤により用紙を綴じるものであってもよい。なお、説明の便宜上、本実施形態においては、後処理部１５によって綴じられた冊子のことも「文書」という。すなわち、本実施形態において「文書」とは、文書データが表す文字や画像のことであるとともに、これらが印字されて製本された冊子のことでもある。
【００２１】
図３は、ゲート装置２０の構成を示すブロック図である。同図に示すように、ゲート装置２０は、検出部２１と、送信部２２と、警報部２３とを備える。検出部２１は、所定の範囲において被検出体の有無を検出する。検出部２１は、被検出体を検出すると、その旨を示す情報（以下「検出情報」という。）を送信部２２及び警報部２３に供給する。なお、検出部２１の具体的な構成や被検出体を検出可能な範囲は、被検出体の種類に応じて異なる。送信部２２は、ネットワーク３０と接続するインタフェースであり、検出情報を管理者端末４０に送信する。警報部２３は、いわゆる回転灯やスピーカなどを備え、検出情報を取得すると光や音を発生させる。
【００２２】
ゲート装置２０は、各エリアの境界（例えば、出入口等）に設けられており、被検出体を含む文書が通過したことを検出する。ゲート装置２０は、被検出体を含む文書を検出した場合に、文書が持ち出されたことを通信部２２及び警報部２３により報知する。なお、図１において、ゲート装置２０は１台のみであるが、各エリアの境界が複数ある場合には、複数台設けられているのが望ましい。
ゲート装置２０が被検出体を検出可能な範囲は、文書の持ち出しの態様によって変化する場合がある。例えば、利用者が文書を鞄や袋に入れて持ち出そうとした場合には、文書をそのまま持ち出す場合に比べ、検出可能な範囲が狭くなり、結果として検出に失敗する可能性がある。
【００２３】
ここで図１の説明に戻る。ネットワーク３０は、例えばＬＡＮ（Local Area Network）であり、プリンタ１０、ゲート装置２０、管理者端末４０及び利用者端末を相互に接続する。管理者端末４０は、本システムの管理者が利用するコンピュータであり、プリンタ１０にポリシー情報を供給する。また、管理者端末４０は、検出情報を監視するモニタを備えており、各エリアで文書の持ち出しが発生したか否かを管理者に通知できるよう構成されている。
【００２４】
なお、図１には特に図示しないが、情報管理システム１００は、各エリアの境界における人物の出入りの様子を監視するカメラを備えてもよい。このような場合には、ゲート装置２０による検出と同時に映像を記録することが可能となり、人物の特定も可能となるからである。
【００２５】
ポリシー情報は、セキュリティレベルを表す情報であり、文書の印字時にどの程度特殊紙を含めるかを示す情報である。本実施形態においては、ポリシー情報は、セキュリティレベルが「高」又は「低」のいずれかを示す値であるとする。しかしながら、ポリシー情報は、セキュリティレベルをより多い段階で示してもよい。
【００２６】
［実施形態の動作］
情報管理システム１００の構成は、以上のとおりである。この構成のもと、情報管理システム１００においては、利用者が利用者端末を用いて文書の出力を指示し、プリンタ１０が文書を出力する。また、ゲート装置２０は、被検出体を含む文書が持ち出されたことを検出すると、これを報知する。情報管理システム１００は、以上のように動作することにより、文書の不正な持ち出しを抑制することを可能にしている。
【００２７】
また、プリンタ１０は、文書を出力するに際して、管理者端末４０からポリシー情報を取得し、ポリシー情報に基づいて文書の印字態様を制御する。より詳細には、プリンタ１０は、ポリシー情報に基づき、文書の各ページについて用いる用紙を特殊紙と普通紙のいずれであるかを選択しながら印字を行う。このときプリンタ１０が行う動作は、以下のとおりである。
【００２８】
図４は、プリンタ１０の動作を示すフローチャートである。同図に示すように、まず、プリンタ１０の制御部１１は、ポリシー情報を取得する（ステップＳ１）。なお、制御部１１は、管理者端末４０にポリシー情報の送信を要求して取得してもよいし、管理者端末４０が所定のタイミングで送信したポリシー情報をメモリに記憶しておき、これを読み出すようにしてもよい。続いて、制御部１１は、利用者端末から文書データを取得する（ステップＳ２）。
【００２９】
次に、制御部１１は、取得した文書データに基づき、使用する用紙の総数（ｎ）を特定する（ステップＳ３）。ここにおいて、ｎの値は、文書データが表す文書のページ数により特定される。すなわち、ページ数が１０ページであれば、ｎの値は「１０」である。
【００３０】
また、制御部１１は、取得したポリシー情報と用紙の総数（ｎ）とに基づき、使用する用紙のうち特殊紙の枚数（ｋ）を特定し（ステップＳ４）、さらに特殊紙を使用するページを特定する（ステップＳ５）。特殊紙の比率は、ポリシー情報が示すセキュリティレベルが「高」である場合により高く、「低」である場合により低くなるように決定される。例えば、セキュリティレベルが「高」である場合は、用紙の総数の７０％が特殊紙となり、セキュリティレベルが「低」である場合は、用紙の総数の３０％が特殊紙となる、というようにしてもよい。なお、用紙の総数が少ない場合などには、特殊紙の枚数は所定の割合より多くなるようにしてもよい。例えば、セキュリティレベルが「低」である場合、すなわち用紙の総数の３割を特殊紙とする場合において、用紙の総数が「５」であるときには、特殊紙の枚数は所定の割合（３０％）では割り切れないため、２枚（４割）とすればよい。
【００３１】
また、制御部１１は、ステップＳ５において、用紙の総数の中から特殊紙を使用するページを適宜選択する。例えば、用紙の総数が「１０」である場合において、用紙の総数の７０％を特殊紙とするとき、制御部１１は、１ページから７ページまでを特殊紙とし、８ページ以降を普通紙としてもよい。あるいは、１、２ページを特殊紙、３ページを普通紙、４、５ページを特殊紙、というように、特殊紙と普通紙とが所定の割合を満たすようなパターンで使用されるようにしてもよい。しかしながら、特殊紙と普通紙とが規則的に使用された場合、特殊紙が何ページ目に使用されているかを利用者が推測可能になってしまうため、特殊紙を使用するページは、乱数を用いるなどしてランダムな順番で選択されるのが、より望ましい。以上のようにして、総ページｎのうち、特殊紙を用いて印字するページｉ（１）、ｉ（２）、…、ｉ（ｋ）を割り当てる。
【００３２】
特殊紙を使用するページを特定したら、制御部１１は、用紙供給部１３に対して、１ページ目から順に用紙を供給することを指示する（ステップＳ６）。ここで供給を指示するページの値を、以下では「ｉ」とする。すなわち、ｉの値は、１からｎまでの整数である。なお、ｉの初期値は、「１」である。
このとき、制御部１１は、ｉページが特殊紙を使用するページとして選択されている場合、すなわち、ｉがｉ（１）、ｉ（２）、…、ｉ（ｋ）のいずれかである場合には、特殊紙の供給を指示し、そうでない場合には、普通紙の供給を指示する。用紙供給部１３は、この指示に応じて、第１トレイ１３１（特殊紙）と第２トレイ１３２（普通紙）のいずれかから用紙を供給する。
【００３３】
続いて、制御部１１は、印字部１４に対して、用紙供給部１３により供給された用紙にｉページ目の文書を印字することを指示する（ステップＳ７）。印字部１４は、この指示に応じて、供給された用紙にｉページ目の文書を印字する。
【００３４】
印字部１４によるｉページ目の印字が終了したら、制御部１１は、文書の全ページの印字が終了したか否かを判断する。すなわち、制御部１１は、ｉの値がｎであるか否かを判断する（ステップＳ８）。ここで、ｉの値がｎでない場合（ステップＳ８：ＮＯ）、制御部１１は、ｉの値を増加（インクリメント）させ（ステップＳ９）、ステップＳ６以降の処理を再び実行する。例えば、制御部１１は、ｉの値が「１」であれば、これを１ページ分増加させて「２」とし、２ページ目の用紙の供給や印字を指示する。
【００３５】
一方、ｉの値がｎである場合（ステップＳ８：ＹＥＳ）、制御部１１は、文書データが表す文書の全ページの印字が終了したと判断する。そして、制御部１１は、後処理部１５に後処理の実行を指示する（ステップＳ１０）。後処理部１５は、この指示に応じて、供給された全ページ分の用紙を綴じて１冊の冊子とする。
【００３６】
プリンタ１０の動作は、以上のとおりである。本実施形態のプリンタ１０は、このような動作を行うことにより、ポリシー情報に基づいて特殊紙と普通紙の比率を決定することができる。したがって、このプリンタ１０によれば、設置されるエリアに応じて異なるセキュリティレベルとしたり、あるいは、管理者端末４０からの指示に応じてセキュリティレベルを変更したりすることが可能となる。なお、例えば、管理者の判断を介さずに、警報の頻度が多いときには自動的にセキュリティレベルを上げるようにプログラムされていてもよい。
【００３７】
［変形例］
本発明は、上述した実施形態と異なる形態で実施することが可能である。本発明は、例えば、以下のような形態で実施することも可能である。また、以下に示す変形例は、各々を適宜に組み合わせてもよい。
（１）変形例１
本発明は、第１のシート（特殊紙）又は第２のシート（普通紙）を選択するに際して、ポリシー情報によらないでもよい。例えば、ユーザがボタンやタッチパネル等の操作手段を介していずれかのシートをページ毎に指定するようにしてもよいし、あらかじめ第１のシートと第２のシートとが交互に選択されるような態様でもよい。
なお、もちろん、第１のシートを全く含まずに文書を印字したり、あるいは、第２のシートを全く含まずに文書を印字する場合があってもよい。
【００３８】
（２）変形例２
上述した「ポリシー情報」に相当する情報は、印字装置（プリンタ１０）にあらかじめ複数記憶されていてもよい。この場合、例えば、ユーザがボタンやタッチパネル等の操作手段を介してセキュリティレベルを設定してもよいし、セキュリティレベルが時間帯に応じて異なるような構成としてもよい。後者の例としては、例えば、オフィスにおいて就業時間内（すなわち、多数の第三者に見られ得る状況）にはセキュリティレベルを相対的に低くし、就業時間外にはセキュリティレベルを相対的に高くする、といった態様が挙げられる。なお、この場合においては、印字装置に時間帯を判断する手段が備わっているものとする。
【００３９】
（３）変形例３
上述した「ポリシー情報」に相当する情報は、文書データに付随して取得されてもよいし、文書データ自体に含まれる態様であってもよい。例えば、文書データは、いわゆるヘッダ情報やメタデータとしてポリシー情報に相当する情報を伴っていてもよい。このような態様とした場合には、文書データ毎にセキュリティレベルを変更可能であるため、例えば、重要度の高い文書は第１のシート（特殊紙）をより多く含むように印字され、重要度の低い文書は第２のシート（普通紙）をより多く含むように印字される、といったことが可能となる。
【００４０】
（４）変形例４
本発明は、シートの選択がポリシー情報に従う場合であっても、ページ数に応じて例外的な処理を行うようにすることができる。例えば、ページ数が過少である場合には、ポリシー情報の如何によらず全てのページに第１のシート（特殊紙）を用いるようにしてもよいし、ページ数が過多である場合には、第１のシートを所定の上限数以上には用いないようにしてもよい。
【００４１】
この変形例について、第１のシート１枚当たりの検出率をｐ、冊子の検出率（冊子ごと持ち出した場合の検出率）をＰ、冊子に含まれる第１のシートの枚数をＮとして説明する。この場合、冊子の検出率Ｐは、以下の（１）式で表すことができる。なお、以下においては、検出率ｐを５０％（０．５）と仮定する。
（数１）
Ｐ＝１−（１−ｐ）Ｎ             …（１）
【００４２】
例えば、第１のシートの枚数Ｎが「１」である場合、冊子の検出率Ｐは「５０％」である。また、第１のシートの枚数Ｎが「２」である場合、冊子の検出率Ｐは「７５％」である。このように、Ｎの値が大きくなるほど、冊子の検出率Ｐは「１」に近づく。例えば、検出率ｐを５０％と仮定した場合においては、Ｎの値が「７」となった場合に冊子の検出率Ｐが「９９％」を超え、以降はほぼ１００％となる。
【００４３】
つまり、冊子の検出率Ｐの値は、検出率ｐがいかなる値であったとしても、Ｎの値の増加に応じて「１」に収束する。それゆえ、例えば、１００ページの冊子に第１のシートが１０枚含まれている場合であっても５０枚含まれている場合であっても、冊子の検出率Ｐにはほとんど差がない。したがって、費用対効果という観点からすると、第１のシートの枚数Ｎは所定の値を上限値とし、それ以上は用いない方が有利であるといえる。なお、Ｎの上限値は、システムにおいて許容する検出率Ｐや実際の検出率ｐに応じて適宜定められればよい。
また、特殊紙の種類によっては、その製造工程上、１枚毎の検出率ｐにばらつきがあり、検出率ｐの低い特殊紙を不良品として使用しないことがあったが、このような特殊紙であっても、冊子の枚数が多い場合には問題なく使用することができる。
【００４４】
一方、冊子のページ数が過少である場合には、所定の比率どおりに第１のシートを使用しても冊子を良好に検出できないことがある。例えば、冊子のページ数が「３」であり、このうちの１ページに第１のシートが用いられたとしても、検出率ｐが５０％であれば、冊子の検出率Ｐも「５０％」にとどまる。そこで、このような場合には、例えば全ページに第１のシートを用いるなどし、所定の比率よりも第１のシートを用いる枚数を多くすればよい。
【００４５】
（５）変形例５
第１のシート（特殊紙）を使用するページは、各ページの印字率や文字数に応じて選択されてもよい。例えば、より多くの文字や画像が印字されているページは、他のページよりも多くの情報が含まれている可能性が高く、重要な情報が含まれている可能性も高いといえる。そのため、このようなページは、冊子から抜き出されて単独で持ち出された場合に問題が生じる可能性が（比較的）高いといえる。一方、白紙のページや文字がほとんど印字されていないページなどは、単独で持ち出されてもほとんど問題を生じない可能性が高いといえる。
【００４６】
それゆえ、印字装置（プリンタ１０）に文書データが表す文書の各ページの印字率（又は文字数）を算出する手段を備え、印字率が高い（又は文字数が多い）ページについて優先的に第１のシートを選択する構成とすれば、情報の漏洩を更に抑制することが可能である。なお、ここにおいて「印字率」とは、例えば、シート上の印字可能領域に対する印字される領域の比をいう。すなわち、印字率が高いページほど文字や画像を多く含んでいるということである。
【００４７】
（６）変形例６
例えば、第１のシート（特殊紙）を使用するページがランダムな順番で選択される場合には、供給すべきシート（すなわちトレイ）が頻繁に切り替わる。このようなシートの切り替えが頻繁に行われると、文書の印字が完了するまでに要する時間が増大するという問題がある。
【００４８】
そこで、このような場合には、シートの切り替え回数が少なくなるように各ページの印字順序を変化させればよい。具体的には、上述したステップＳ５において特殊紙（第１のシート）を使用するページを特定した後に、ここで特定したページの印字を先に行い、次いで、それ以外の普通紙（第２のシート）を使用するページの印字を行う、というようにすればよい。例えば、ある５ページの文書において、特殊紙を１、３及び５ページに用い、普通紙を２及び４ページに用いる場合であれば、１、３及び５ページの印字をまとめて先に行い、２及び４ページの印字を後に行う。なお、もちろん、普通紙を使用するページの印字を先に行い、その後に特殊紙を使用するページの印字を行ってもよい。
【００４９】
また、このようにページの順序と異なる順序で印字を行う場合、用紙が後処理部１５に供給される順序がページ順と異なってしまうため、そのまま冊子にすると正しいページ順で並ばないという問題がある。そこで、このような場合には、後処理部１５に用紙の並びを変更する手段を更に設け、用紙がページ順に並ぶように並び替えを行うのが望ましい。
【００５０】
（７）変形例７
本発明において、第１のシート（特殊紙）と第２のシート（普通紙）とは、被検出体の種類によっては容易に判別可能な場合がある。このような場合に、冊子から第１のシートが抜き取られてしまうと、不正な持ち出しを検出できないおそれがある。そこで、第１のシートと第２のシートの判別を困難にするために、第２のシートに被検出体を模したダミー画像を印字するようにしてもよい。
【００５１】
（８）変形例８
本発明において、文書データの取得の態様は、特に限定されない。文書データは、有線・無線を問わず種々のインタフェースから取得され得る。例えば、いわゆる複写機のように、画像読取装置（スキャナ）を介して文書データを取得するようにしてもよいし、着脱可能な記憶媒体から文書データを取得するようにしてもよい。
【００５２】
（９）変形例９
本発明における「シート」には、種々の用紙が含まれる。また、本発明における「シート」には、いわゆる紙のみならず、印字可能なシート状の物体の全てが含まれる。例えば、本発明における「シート」は、シート状の樹脂などであってもよい。
また、本発明における「被検出体」は、シートにいかなる態様で含まれていてもよい。上述した実施形態においては、被検出体は用紙に漉き込まれているとしたが、例えば、用紙の表面に被検出体が接着されていてもよいし、他の手段により用紙と一体になっていてもよい。
【００５３】
（１０）変形例１０
本発明は、上述した印字装置の機能を実現するためのプログラムとしても提供され得る。かかるプログラムは、例えば、インターネット等のネットワークを介して印字装置にダウンロードされてもよいし、あるいは、光ディスク等の記録媒体に記憶された形態で提供されてもよい。
【図面の簡単な説明】
【００５４】
【図１】本発明に係る情報管理システムの構成を示す図である。
【図２】本発明に係るプリンタの構成を示すブロック図である。
【図３】本発明に係るゲート装置の構成を示すブロック図である。
【図４】プリンタの動作を示すフローチャートである。
【符号の説明】
【００５５】
１００…情報管理システム、１０…プリンタ、１１…制御部、１２…通信部、１３…用紙供給部、１３１…第１トレイ、１３２…第２トレイ、１４…印字部、１５…後処理部、２０…ゲート装置、２１…検出部、２２…送信部、２３…警報部、ク３０…ネットワー、４０…管理者端末
【図１】
2008305247.tif 000003
【図２】
2008305247.tif 000004
【図３】
2008305247.tif 000005
【図４】
2008305247.tif 000006